【手続補正書】
【提出日】令和3年1月18日(2021.1.18)
【手続補正１】
【補正対象書類名】特許請求の範囲
【補正対象項目名】全文
【補正方法】変更
【補正の内容】
【特許請求の範囲】
【請求項１】
光の透過率を変更可能な光学素子と、
前記光学素子を通過した光を光電変換して、画像信号を出力する撮像素子と、
前記光学素子の周囲温度を測定する測定手段と、
前記測定手段の測定結果と前記光学素子への入射光量とに基づいて、前記光学素子の面内における温度を推定する推定手段と、
前記光学素子の透過率を制御する第１の制御手段と、
前記撮像素子を用いて被写体を撮像して画像信号を出力する際の露出を制御する第２の制御手段と、を有し、
前記第１の制御手段は、前記推定手段により推定された前記光学素子の面内における温度が、予め決められた温度を超える第１の条件において、前記光学素子の目標とする透過率を上げるように制御し、
前記第２の制御手段は、前記第１の条件において、前記光学素子の透過率の変更に応じて、前記透過率以外の露出を制御することを特徴とする撮像装置。
【請求項２】
測光手段を更に有し、
前記第２の制御手段は、前記測光手段による計測結果に基づいて、シャッタースピード、絞り値、ゲインを含む露出を制御し、
前記第１の制御手段により前記光学素子の透過率が変更された場合に、前記第２の制御手段は、露出状態を保持するように、シャッタースピード、絞り値、ゲインの少なくともいずれかを制御することを特徴とする請求項１に記載の撮像装置。
【請求項３】
前記第１の制御手段により前記光学素子の透過率が変更された場合に、前記第２の制御手段は、ゲインを優先的に制御することを特徴とする請求項２に記載の撮像装置。
【請求項４】
前記第１の制御手段は、前記光学素子の面内における少なくとも一部の温度が前記予め決められた温度を超えた場合に、前記光学素子の透過率を上げるように制御することを特徴とする請求項１乃至３のいずれか１項に記載の撮像装置。
【請求項５】
光の透過率を変更可能な光学素子と、
前記光学素子を通過した光を光電変換して、画像信号を出力する撮像素子と、
前記光学素子の透過率を測定する測定手段と、
前記測定手段により測定された透過率に基づいて、前記光学素子の透過率を制御する制御手段と
を有することを特徴とする撮像装置。
【請求項６】
前記光学素子は、有機エレクトロクロミック素子または液晶素子であることを特徴とする請求項１乃至５のいずれか１項に記載の撮像装置。
【請求項７】
光学素子を通過した光を光電変換して、画像信号を出力できる撮像素子を備えた撮像装置に着脱可能なレンズユニットであって、
光の透過率を変更可能な光学素子と、
前記光学素子の周囲温度を測定する測定手段と、
前記測定手段の測定結果と前記光学素子への入射光量とに基づいて、前記光学素子の面内における温度を推定する推定手段と、
前記光学素子の透過率を制御する制御手段と、を有し、
前記制御手段は、前記推定手段により推定された前記光学素子の面内における温度が、予め決められた温度を超える場合に、前記光学素子の目標とする透過率を上げるように制御することを特徴とするレンズユニット。
【請求項８】
光の透過率を変更可能な光学素子と、前記光学素子を通過した光を光電変換して、画像信号を出力する撮像素子と、前記光学素子の周囲温度を測定する測定手段と、を有する撮像装置の制御方法であって、
前記測定手段の測定結果と前記光学素子への入射光量とに基づいて、前記光学素子の面内における温度を推定する推定工程と、
前記光学素子の透過率を制御する第１の制御工程と、
前記撮像素子を用いて被写体を撮像して画像信号を出力する際の露出を制御する第２の制御工程と、を有し、
前記第１の制御工程では、前記推定工程により推定された前記光学素子の面内における温度が、予め決められた温度を超える第１の条件において、前記光学素子の目標とする透過率を上げるように制御し、
前記第２の制御工程では、前記第１の条件において、前記光学素子の透過率の変更に応じて、前記透過率以外の露出を制御することを特徴とする撮像装置の制御方法。
【手続補正２】
【補正対象書類名】明細書
【補正対象項目名】０００９
【補正方法】変更
【補正の内容】
【０００９】
上記目的を達成するために、本発明の撮像装置は、光の透過率を変更可能な光学素子と、前記光学素子を通過した光を光電変換して、画像信号を出力する撮像素子と、前記光学素子の周囲温度を測定する測定手段と、前記測定手段の測定結果と前記光学素子への入射光量とに基づいて、前記光学素子の面内における温度を推定する推定手段と、前記光学素子の透過率を制御する第１の制御手段と、前記撮像素子を用いて被写体を撮像して画像信号を出力する際の露出を制御する第２の制御手段と、を有し、前記第１の制御手段は、前記推定手段により推定された前記光学素子の面内における温度が、予め決められた温度を超える第１の条件において、前記光学素子の目標とする透過率を上げるように制御し、前記第２の制御手段は、前記第１の条件において、前記光学素子の透過率の変更に応じて、前記透過率以外の露出を制御する。
【手続補正３】
【補正対象書類名】明細書
【補正対象項目名】００２１
【補正方法】変更
【補正の内容】
【００２１】
制御部１１４は、ＣＰＵ、ＲＯＭ、及びＲＡＭなどで構成され、撮像装置１００全体の動作を包括的に制御する。なお、制御部１１４は、光透過率可変素子１０１の透過率制御部１０２、露出パラメータ制御部１０４、温度情報取得部１０９等と一体的に構成されていてもよい。
【手続補正４】
【補正対象書類名】明細書
【補正対象項目名】００３８
【補正方法】変更
【補正の内容】
【００３８】
溶媒としては、電解質を溶解できるものであれば特に限定されないが、特に極性を有するものが好ましい。具体的には水の他、例えば、メタノール、エタノール、プロピレンカーボネート、エチレンカーボネート、ジメチルスルホキシド、ジメトキシエタン、アセトニトリル、γ−ブチロラクトン、γ−バレロラクトン、スルホラン、ジメチルホルムアミド、テトラヒドロフラン、プロピオンニトリル、ジメチルアセトアミド、メチルピロリジノン、ジオキソラン等の有機極性溶媒が挙げられる。
【手続補正５】
【補正対象書類名】明細書
【補正対象項目名】０１６４
【補正方法】変更
【補正の内容】
【０１６４】
図１９は、第５の実施形態の撮像装置５００における露出誤差の発生原理を説明する模式図である。各種の撮影時の第一及び第二の撮像素子５０１ａ，５０１ｂから得られる第一及び第二の画像の露出状態の模式図と、光透過率可変素子５０４の濃度状態を示している。図１９において、１９００は被写体、１９１０ａは第一の撮像素子５０１ａから得られる、後述する画像調整部５２２による画像調整前の第一の画像、１９１０ｂは第二の撮像素子５０１ｂから得られる画像調整前の第二の画像を表している。１９１１ａ及び１９１１ｂはそれぞれ画像調整後の第一及び第二の画像を示す。また、１１４０は光透過率可変素子５０４の駆動指示値を、１９４０は光透過率可変素子５０４の透過面内における、撮像領域の実際の濃度状態の模式図をそれぞれ示す。なお、それぞれの画像及び光透過率可変素子５０４の模式図の大きさは説明ための便宜的なものであり、実際の大小関係を反映するものではない。
【手続補正６】
【補正対象書類名】図面
【補正対象項目名】図２
【補正方法】変更
【補正の内容】
【図２】
2019128379.tif 000001